(57)【要約】      （修正有）【課題】交流電力回路において、電源トランスの入力電力を効率よく変換し、二次電力（負荷電力）を得る。【解決手段】交流電気回路においてトランスの一次電流を負荷に流れる電流によりキャンセルする事により一次電力の僅少化をはかり、これにより一次電力が小さくなるので結果的に一次電力より大なる二次電力（負荷電力）を得ることを特徴とする電力増倍器。本発明の実施により燃料等不要な永久発電を構成することは非常に容易である。【選択図】図１
2005130682.tif 000002
【特許請求の範囲】
【請求項１】
交流電力回路において電源トランスがあり、その二次回路に負荷抵抗を接続するようになされた回路において、上記電源トランスの一次線輪に流れる電流と負荷抵抗に流れる電流の位相を丁度逆相（１８０度の位相差）とし、その合成電流をキャンセル相殺して僅少な電流とし、よって当該電源トランスの一次電力（入力電力）も極めて小さな電力となすべく構成される。負荷抵抗は上記電源トランス二次回路に誘起した電圧と上記トランスの一次回路線輪のある特定の所の電圧が加算された電圧が印加され電力が消費されるように構成される。これにより上記電源トランスの一次電力（入力電力）より大きな二次電力（出力電力）を得ることを特徴とする電力増倍器
【請求項２】
バッテリがありバッテリ電源を交流変換し交流電力（Ｐ１）とし、本発明請求項１の電力増倍器により増倍された電力（Ｐ２）を得て、当該増倍電力Ｐ２の一部を上記バッテリ電源（Ｐ１）に還元し余剰電力（Ｐ３＝Ｐ２−Ｐ１）を任意の電力として使用できるように構成した電力増倍器による発電器。
【発明の詳細な説明】
【技術分野】
【０００１】本発明は電力の増倍により入力電力より大きい電力発生に関するものである。
【背景技術】
【０００２】電源トランスによる逆相キャンセルの技術である。これらは極めて一般的な周知の従来技術であるがこれらを組み合わせ本発明を成立させた。
【発明の開示】
【発明が解決しようとする課題】
【０００３】電力は水力、石油、原子力などを燃料とし得られるのが主であった。これらエネルギー資源の枯渇はもはや時間の問題であり地球環境にあたえる影響は計り知れない。そこで燃料等一切使用しない全く新たな原理にもとずく電力発生器の提案が待ち望まれていた。太陽電池、風力発電などはそれが目的のため発展途上であるがまだまだ使用量が微少である。本発明はこれらを大きく解決できる要素をもつ提案である。また本電力増倍器の出力の一部電力を入力に還元し永久発電機とすることも可能なことは理の当然である。
【課題を解決するための手段】
【０００４】本発明は電流位相が逆相であるを利用してこれら電流をキャンセルするを基本原理とする。これにより極めて大なる電力が生成されるを特徴とする。
【発明の効果】
【０００５】従来「もらったエネルギーよりも多くの仕事は出来ない」と云う極めて単純な言葉からこの種の発明は無かった。
本発明の効果について述べる。
本発明は入力電力より大なる出力電力を得る。その量は入力電力の２倍ないし数倍程度になる。勿論キャンセルすべく電流位相、並びに振幅を調整、改善することにより効率倍数は上昇するものである。仮に負荷がありながら合成電流位相が丁度１８０度に位相調整がなされたなら効率は無限大になる。つまり完全な１８０度逆相で電流値も同一ならキャンセル相殺することで合成電流を殆ど零にすることが可能である。合成電流が零であることは通過電力が零であることを意味する。負荷電力を供給しているにもかかわらず入力電力がゼロ（に近い）と云うきわめて特異な現象を呈する。【０００６】これが為、入力電力より大なる出力電力を容易に得られる。この場合効率は２倍から１０倍程度になる。
たとえば効率５倍に成ったとすれば１に相当する電力を入力電力に還元し４に相当する電気量は外部にて任意に使用できることは理の当然である。
本発明の電力は無公害、無振動、無雑音であることは当然ですが、なによりも特記すべきは燃料等のエネルギー補給が必要ないことである。
【発明を実施するための最良の形態】
【０００７】本発明は従来存在しなかったものであるからどのような実施も最良の形態になるだろう。大きく分けて２つの実施形態がある。
第一は単純に電力増倍として実施するもので例えば小電力の電源設備で大電力の機器を駆動する形態である。【０００８】第二は発電機として利用するものである。一般家庭用電源として５ｋｗ程度のもの。ビル用として５００ｋｗ程度のもの。工場用として５０００ｋｗ程度のものが代表となろう。そして自動車用として駆動エンジンにかわる２０ＫＷから５０ｋｗ程度の小型軽量の発電器が期待される。微小発電でバッテリーにかわるなども大いに期待されるであろう。
本発明の実用化で危険負担の多い原子力発電は縮小または廃棄可能である。
【実施例１】
【０００９】図１は本発明の一実施例を示す原理図である。図１について説明する。
図１の電源１からＥ１なる電圧が発生し電力増倍トランスＴの３の一次線輪に印加される。当然電力増倍トランスＴの二次回路にＥ４なる電圧が誘起される。この電圧Ｅ４は電力増倍トランスＴの一次線輪のタップ▲２▼の電圧との合成されＢ点４を経て負荷抵抗５に導かれる。
説明を容易にするために負荷抵抗５はインダクタンス分並びにキャパシタンス分の無い純抵抗として説明する。【００１０】図１電力増倍トランスＴ３の一次回路を流れる電流ｉＬは電源電圧Ｅ１の位相と同相であり負荷抵抗５に流れる電流ｉＲは電源電圧Ｅ１に比して１８０度相違する逆相の関係にある。
ここで最も大切なのは電力増倍トランスＴ一次線輪電流ｉＬと負荷抵抗Ｒ５に流れる電流ｉＲはお互い１８０度ずれた逆相の電流であるを必要とする。【００１１】逆相同電流であるならばお互いにキャンセル相殺され図１Ａ点２の電流ｉ１は僅少な値になる。これを可能にするのは電力増倍トランスＴの一次線輪タップ▲２▼の位置である。電圧Ｅ２とＥ３の比を最適に選択することによりｉＬとｉＲを逆相同電流にする事ができる。ｉＬとｉＲがバランスよくキャンセルされるならｉ１は僅少化されＡ点を通過する電力は極めて小さいものになる。【００１２】一次電力が僅少でも負荷抵抗Ｒ５にはＥ４とＴの一次線輪タップの電圧Ｅ３との合成電圧がかかり電力を消費する。このときの図１Ａ点を流れる電流ｉ１は最小にある。このように構成することにより電力増倍トランスＴ３の入力電力  Ｐｉｎ  より大なる出力電力  Ｐｏｕｔ  を得ることが可能となる。【００１３】図１Ａ点２並びにＢ点４の各々通過電力は次のようになる。
Ａ点２の通過電力をＰｉｎとし電流位相角をφ１とすれば
Ｐｉｎ＝Ｅ１  ×  ｉ１  ×  ＣＯＳφ１        となる。
Ｂ点４の通過電力をＰｏｕｔとし電流位相角をφ２とすれば
Ｐｏｕｔ＝Ｅ５  ×  ｉ２  ×  ＣＯＳφ２      となる。
Ｐｉｎ  と  Ｐｏｕｔ  との関係は
Ｐｉｎ＜Ｐｏｕｔ        の関係が維持される。
よって入力電力より大なる出力電力が得られる特徴がある。【００１４】本発明を永久発電機に構成した場合ついて図２で説明する。電力増倍作用はすでに述べた通りである。
図２の電源６はバッテリーの電圧で駆動する交流変換器でありＰ１は電力増倍トランスの入力電力である。電力増倍作用により発生した電力はＰ２として表す。このＰ２の一部であるＰ１に相当する電力Ｐ３を整流器１１で直流に変換しバッテリー１２に充電される。バッテリー１２から電力Ｐ５が交流変換器６の電源となる。バッテリー１２は装置の初期スタートならびに電圧変動等を抑える。しかる後、負荷電力Ｐ４を任意に使用できる。【００１５】任意に使用出来る電力量Ｐ４は次による。
Ｐ４＝Ｐ２−Ｐ３    となる。
ただし  Ｐ２＞Ｐ１
Ｐ３＝Ｐ５＝Ｐ１    であるから電力を外部に供給し続けることが理解されよう。
このように電力増倍した出力の一部を入力に還元し永久発電を可能とした。
【産業上の利用可能性】
【００１６】本発明は人類の夢の実現化である。本発明で発生せられる電力は無公害であり地球上どこでも安定して供給する電力であり、基本的には電力コストは無料である。
したがって産業上の利用可能性は無限にある。
【図面の簡単な説明】
【図１】１は交流電源  ２は一次電流又は一次電力の通過点  ３は電力増倍トランス  ４は二次電流又は二次電力の通過点  ５は負荷抵抗
【図２】６は直流を交流にかえる交流変換器  ７は電力増倍トランス  ８は電力増倍された電力通過点  ９は負荷電力通過点  １０は負荷抵抗  １１は整流器  １２はバッテリー
【図１】
2005130682.tif 000003
【図２】
2005130682.tif 000004